【手続補正書】
【提出日】平成17年10月18日(2005.10.18)
【手続補正１】
【補正対象書類名】明細書
【補正対象項目名】特許請求の範囲
【補正方法】変更
【補正の内容】
【特許請求の範囲】
【請求項１】  熱ショックタンパク質に結合するペプチドを同定する方法であって、
(i) 複数のインサートペプチドをそれぞれ表面タンパク質中に発現する複数のバクテリオファージを含んでなるファージディスプレイライブラリーを、ベンゾキノンアンサマイシン抗生物質に結合されたhsp標的と、結合バッファー中で接触させるステップと、
(ii) 該hsp標的に結合するファージを単離するステップと、
(iii) 単離したファージの表面タンパク質中に発現されたインサートペプチドを同定するステップと、
を含む方法。
【請求項２】  前記ベンゾキノンアンサマイシン抗生物質がハービマイシンA又はゲルダナマイシンである、請求項１に記載の方法。
【請求項３】  結合バッファーが生理学的なものである、請求項１又は２に記載の方法。
【請求項４】  前記結合バッファーのイオン強度が100〜150mM NaCl水溶液のイオン強度と等価である、請求項３に記載の方法。
【請求項５】  前記結合バッファーが1〜25mMの濃度でカルシウムイオンを含む、請求項３に記載の方法。
【請求項６】  前記結合バッファーが還元剤を含む、請求項３に記載の方法。
【請求項７】  前記結合バッファーが非加水分解性ヌクレオチドを含む、請求項３に記載の方法。
【請求項８】  抗原性ペプチドとベンゾキノンアンサマイシン抗生物質とを含んでなるコンジュゲートペプチド。
【請求項９】  生理的条件下で熱ショックタンパク質に結合する部分をさらに含む、請求項８に記載のコンジュゲートペプチド。
【請求項１０】  生理的条件下で熱ショックタンパク質に結合する前記部分が7〜20個のアミノ酸である、請求項９に記載のコンジュゲートペプチド。
【請求項１１】  生理的条件下で熱ショックタンパク質に結合する前記部分がコンジュゲートペプチドの抗原性ペプチドに共有結合で結合されている、請求項９又は１０に記載のコンジュゲートペプチド。
【請求項１２】  ベンゾキノンアンサマイシン抗生物質が抗原性ペプチドに共有結合で連結されている、請求項８〜１１のいずれか１項に記載のコンジュゲートペプチド。
【請求項１３】  ベンゾキノンアンサマイシン抗生物質が抗原性ペプチドのカルボキシ末端に共有結合で連結されている、請求項８〜１１のいずれか１項に記載のコンジュゲートペプチド。
【請求項１４】  コンジュゲートペプチドのベンゾキノンアンサマイシン抗生物質と抗原性ペプチドとを隔てるペプチドリンカーをさらに含む、請求項８〜１１のいずれか１項に記載のコンジュゲートペプチド。
【請求項１５】  コンジュゲートペプチドの生理的条件下で熱ショックタンパク質に結合する前記部分と抗原性ペプチドとを隔てるペプチドリンカーをさらに含む、請求項９〜１２のいずれか１項に記載のコンジュゲートペプチド。
【請求項１６】  前記ペプチドリンカーがgly ser glyである、請求項１４又は１５に記載のコンジュゲートペプチド。
【請求項１７】  前記ペプチドリンカーが細胞酵素による開裂に対して感受性である、請求項１４又は１５に記載のコンジュゲートペプチド。
【請求項１８】  コンジュゲートペプチドのベンゾキノンアンサマイシン抗生物質と抗原性ペプチドとを隔てる非ペプチドリンカーをさらに含む、請求項８〜１１のいずれか１項に記載のコンジュゲートペプチド。
【請求項１９】  前記リンカーが酸感受性、塩基感受性、感光性、還元に対する感受性、酸化に対する感受性又は細胞酵素による開裂に対する感受性を有する開裂可能なものである、請求項１４、１５又は１８に記載のコンジュゲートペプチド。
【請求項２０】  生理的条件下で熱ショックタンパク質に結合する前記部分がHWDFAWPW（配列番号143）である、請求項９〜１２及び１５のいずれか１項に記載のコンジュゲートペプチド。
【請求項２１】  生理的条件下で熱ショックタンパク質に結合する前記部分がHyXHyXHyXHyであって、Hyは疎水性アミノ酸を表し、Xは任意のアミノ酸である、請求項９〜１２及び１５のいずれか１項に記載のコンジュゲートペプチド。
【請求項２２】  精製されたものである、請求項８〜２１のいずれか１項に記載のコンジュゲートペプチド。
【請求項２３】  被験者において、新生物に関連する抗原に対する免疫応答を誘発するものである、請求項８〜２２のいずれか１項に記載のコンジュゲートペプチド。
【請求項２４】  被験者において、病原体に関連する抗原に対する免疫応答を誘発するものである、請求項８〜２２のいずれか１項に記載のコンジュゲートペプチド。
【請求項２５】  新生物が、肉腫、リンパ腫、白血病、黒色腫、乳癌、前立腺癌、卵巣癌、子宮頸癌、子宮癌、結腸癌、肺癌、膠芽細胞腫及び星状細胞腫から成る群より選択されるものである、請求項２３に記載のコンジュゲートペプチド。
【請求項２６】  病原体が細菌、ウイルス、原虫、マイコプラズマ、真菌、酵母、寄生虫及びプリオンから成る群より選択されるものである、請求項２４に記載のコンジュゲートペプチド。
【請求項２７】  病原体が細菌である、請求項２４に記載のコンジュゲートペプチド。
【請求項２８】  細菌がSalmonella、Staphylococcus、Streptococcus、Enterococcus、Clostridium、Escherichia、Klebsiella、Vibrio、Mycobacterium及びMycoplasma pneumoniaeから成る群より選択されるものである、請求項２７に記載のコンジュゲートペプチド。
【請求項２９】  病原体がウイルスである、請求項２４に記載のコンジュゲートペプチド。
【請求項３０】  ウイルスがヒト乳頭腫ウイルス、ヘルペスウイルス、レトロウイルス、肝炎ウイルス、インフルエンザウイルス、ライノウイルス、RSウイルス、サイトメガロウイルス、アデノウイルス、単純ヘルペスウイルス、帯状疱疹ウイルス、ヒト免疫不全ウイルス1及びヒト免疫不全ウイルス2から成る群より選択されるものである、請求項２９に記載のコンジュゲートペプチド。
【請求項３１】  病原体が原虫である、請求項２４に記載のコンジュゲートペプチド。
【請求項３２】  原虫がアメーバ、マラリア原虫及びTrypanosoma cruziから成る群より選択されるものである、請求項３１に記載のコンジュゲートペプチド。
【請求項３３】  ベンゾキノンアンサマイシン抗生物質がゲルダナマイシン、ハービマイシンA、ミモサマイシン、マクミマイシンI及びクワイティマイシンから成る群より選択されるものである、請求項８〜３２のいずれか１項に記載のコンジュゲートペプチド。
【請求項３４】  ベンゾキノンアンサマイシン抗生物質がゲルダナマイシン、ハービマイシンA、ミモサマイシン、マクミマイシンI若しくはクワイティマイシンの類似体又は誘導体である、請求項８〜３２のいずれか１項に記載のコンジュゲートペプチド。
【請求項３５】  医薬として使用するための請求項８〜３４のいずれか１項に記載のコンジュゲートペプチド。
【請求項３６】  被験者において前記抗原性ペプチドに対する免疫応答を誘発するために該被験者に投与する医薬の製造における、請求項８〜３４のいずれか１項に記載のコンジュゲートペプチドの使用。
【請求項３７】  コンジュゲートペプチドが熱ショックタンパク質とともに使用するものである、請求項３６に記載の使用。
【請求項３８】  コンジュゲートペプチドが熱ショックタンパク質とともに使用するものではない、請求項３６に記載の使用。
【請求項３９】  医薬として使用するための、(i) 生理学的条件下で熱ショックタンパク質に結合する第１部分と(ii) 抗原性である第２部分とを含むコンジュゲートペプチドであって、熱ショックタンパク質とともに使用するものではない、前記コンジュゲートペプチド。
【請求項４０】  前記第１部分が7〜20個のアミノ酸から成るペプチドである、請求項３９に記載のコンジュゲートペプチド。
【請求項４１】  前記第１部分が前記第２部分に共有結合で結合されている、請求項３９又は４０に記載のコンジュゲートペプチド。
【請求項４２】  コンジュゲートペプチドの第１部分と第２部分とを隔てるペプチドリンカーをさらに含む、請求項３９又は４０に記載のコンジュゲートペプチド。
【請求項４３】  前記ペプチドリンカーがgly-ser-glyである、請求項４２に記載のコンジュゲートペプチド。
【請求項４４】  前記ペプチドリンカーが細胞酵素による開裂に対して感受性である、請求項４２に記載のコンジュゲートペプチド。
【請求項４５】  15〜40個のアミノ酸の範囲である、請求項３９〜４４のいずれか１項に記載のコンジュゲートペプチド。
【請求項４６】  15〜25個のアミノ酸の範囲である、請求項３９〜４５のいずれか１項に記載のコンジュゲートペプチド。
【請求項４７】  コンジュゲートペプチドの第１部分と第２部分とを隔てる非ペプチドリンカーをさらに含む、請求項３９〜４１のいずれか１項に記載のコンジュゲートペプチド。
【請求項４８】  脂質又は炭水化物部分を含む、請求項３９〜４７のいずれか１項に記載のコンジュゲートペプチド。
【請求項４９】  前記リンカーが酸感受性、塩基感受性、感光性、還元に対する感受性、酸化に対する感受性又は細胞酵素による開裂に対する感受性を有する開裂可能なものである、請求項４２及び４５〜４８のいずれか１項に記載のコンジュゲートペプチド。
【請求項５０】  第１部分がHWDFAWPW（配列番号143）である、請求項３９〜４９のいずれか１項に記載のコンジュゲートペプチド。
【請求項５１】  第１部分がHyXHyXHyXHyであって、Hyは疎水性アミノ酸を表し、Xは任意のアミノ酸である、請求項３９〜４９のいずれか１項に記載のコンジュゲートペプチド。
【請求項５２】  精製されたものである、請求項３９〜５１のいずれか１項に記載のコンジュゲートペプチド。
【請求項５３】  被験者において、新生物に関連する抗原に対する免疫応答を誘発するものである、請求項３９〜５２のいずれか１項に記載のコンジュゲートペプチド。
【請求項５４】  被験者において、病原体に関連する抗原に対する免疫応答を誘発するものである、請求項３９〜５２のいずれか１項に記載のコンジュゲートペプチド。
【請求項５５】  新生物が、肉腫、リンパ腫、白血病、黒色腫、乳癌、前立腺癌、卵巣癌、子宮頸癌、子宮癌、結腸癌、肺癌、膠芽細胞腫及び星状細胞腫から成る群より選択されるものである、請求項５３に記載のコンジュゲートペプチド。
【請求項５６】  病原体が細菌、ウイルス、原虫、マイコプラズマ、真菌、酵母、寄生虫及びプリオンから成る群より選択されるものである、請求項５４に記載のコンジュゲートペプチド。
【請求項５７】  病原体が細菌である、請求項５４に記載のコンジュゲートペプチド。
【請求項５８】  細菌がSalmonella、Staphylococcus、Streptococcus、Enterococcus、Clostridium、Escherichia、Klebsiella、Vibrio、Mycobacterium及びMycoplasma pneumoniaeから成る群より選択されるものである、請求項５７に記載のコンジュゲートペプチド。
【請求項５９】  病原体がウイルスである、請求項５４に記載のコンジュゲートペプチド。
【請求項６０】  ウイルスがヒト乳頭腫ウイルス、ヘルペスウイルス、レトロウイルス、肝炎ウイルス、インフルエンザウイルス、ライノウイルス、RSウイルス、サイトメガロウイルス、アデノウイルス、単純ヘルペスウイルス、帯状疱疹ウイルス、ヒト免疫不全ウイルス1及びヒト免疫不全ウイルス2から成る群より選択されるものである、請求項５９に記載のコンジュゲートペプチド。
【請求項６１】  病原体が原虫である、請求項５４に記載のコンジュゲートペプチド。
【請求項６２】  原虫がアメーバ、マラリア原虫及びTrypanosoma cruziから成る群より選択されるものである、請求項６１に記載のコンジュゲートペプチド。
【請求項６３】  医薬の製造における請求項３９〜６２のいずれか１項に記載のコンジュゲートペプチドの使用であって、前記医薬はコンジュゲートペプチドの第２部分に対する免疫応答を誘発するために被験者に投与されるものである、前記使用。
【請求項６４】  前記投与は皮下、皮内、筋肉内、静脈内、経口、鼻内又は局所によるものである、請求項３６〜３８及び６３のいずれか１項に記載の使用。
【請求項６５】  前記投与は少なくとも1回繰り返される、請求項３６〜３８及び６３のいずれか１項に記載の使用。
【請求項６６】  医薬は1以上のアジュバントをさらに含む、請求項３６〜３８及び６３のいずれか１項に記載の使用。
【請求項６７】  医薬として免疫応答の誘発に使用するための請求項８〜３４のいずれか１項に記載のコンジュゲートペプチド。
【請求項６８】  免疫応答を誘発するための請求項３５及び３９〜５２のいずれか１項に記載のコンジュゲートペプチド。
【請求項６９】  癌を治療又は予防するための請求項３５、３９〜５３及び５５のいずれか１項に記載のコンジュゲートペプチド。
【請求項７０】  感染疾患を治療又は予防するための請求項３５、３９〜５２、５４及び５６〜６２のいずれか１項に記載のコンジュゲートペプチド。
【請求項７１】  請求項８〜３４のいずれか１項に記載のコンジュゲートペプチドを含んでなる組成物。